(57)【要約】【課題】視認性の良い靴用発光具を提供すること。【解決手段】靴用発光具１は、外周面に沿って導光発光管１３を配設した弾発可能に湾曲する本体部１０と、導光発光管１３の一端部に配置される第１光源１１１と、本体部１０の端部に配置される第２光源２２と、を備える。また、本体部１０は、導光発光管１３の第１光源１１１が配置される一端側と反対の他端側から、導光発光管１３に光を入射させる第３光源１２１を備える。【選択図】図１
2019187542.tif 000002
【特許請求の範囲】
【請求項１】
外周面に沿って導光発光管を配設した弾発可能に湾曲する本体部と、
前記導光発光管の一端側に配置される第１光源と、
前記本体部の端部に配置される第２光源と、
を備えることを特徴とする靴用発光具。
【請求項２】
前記第１光源は、前記本体部の前記端部から形状記憶可能な支持杆を介して配置されることを特徴とする請求項１に記載の靴用発光具。
【請求項３】
前記本体部は、一端側に配置される前記第１光源及び前記第２光源に電力を供給する第１電源を備えることを特徴とする請求項１又は請求項２に記載の靴用発光具。
【請求項４】
前記本体部は、前記導光発光管の前記第１光源が配置される一端側と反対の他端側に、前記導光発光管に光を入射させる第３光源を備えることを特徴とする請求項１乃至請求項３の何れかに記載の靴用発光具。
【請求項５】
前記本体部の一端側には第１挟持体１１が形成され、
前記本体部の他端側には第２挟持体１２が形成される、
ことを特徴とする請求項１乃至請求項４の何れかに記載の靴用発光具。
【発明の詳細な説明】
【技術分野】
【０００１】
本発明は、着脱可能な靴用発光具に関する。
【背景技術】
【０００２】
従来から発光体が設けられた靴用の発光具が提案されている。例えば、特許文献１には、クリップ等の止め具により靴紐に装着させる発光具が開示されている。この発光具は、電池、点滅制御回路及びスイッチ回路を内部に組み込んで、上方に突設された発光ダイオードを有するユニットと、発光ダイオードを貫挿してユニットの上方に配置される集光板と、を備える。集光板は複数の光ファイバーを発光ダイオードの周囲において配設している。
【先行技術文献】
【特許文献】
【０００３】
【特許文献１】特開平８−１７３２１１号公報
【発明の概要】
【発明が解決しようとする課題】
【０００４】
しかし、特許文献１の靴に取り付ける発光具は、靴紐に対して固定されるため、点灯させても後方から視認しにくいことが想定される。
【０００５】
本発明は、以上の点に鑑み、視認性の良い靴用発光具を提供することを目的とする。
【課題を解決するための手段】
【０００６】
本発明の靴用発光具は、外周面に沿って導光発光管を配設した弾発可能に湾曲する本体部と、前記導光発光管の一端側に配置される第１光源と、前記本体部の端部に配置される第２光源と、を備えることを特徴とする。
【発明の効果】
【０００７】
本発明によれば、視認性の良い靴用発光具を提供することができる。
【図面の簡単な説明】
【０００８】
【図１】本発明の実施形態に係る発光具を示す図であり、（ａ）は平面斜視図であり、（ｂ）は底面斜視図である。
【図２】本発明の実施形態に係る発光具の側面図である。
【図３】本発明の実施形態に係る発光具の使用状態を示す図である。
【発明を実施するための形態】
【０００９】
本発明の実施形態について説明する。図１（ａ）は靴用の発光具１の平面斜視図であり、図１（ｂ）は発光具１の底面斜視図である。以下の発光具１の説明では、第１挟持体１１及び第２挟持体１２側を前、その反対側を後とし、第２光源２２側を上、その反対側を下とする。
【００１０】
発光具１は、略Ｕ字状に弾発可能に湾曲する長尺の本体部１０を有する。湾曲した本体部１０の一端側には第１挟持体１１が連設して設けられ、他端側には第２挟持体１２が連設して設けられる。第１挟持体１１の先端部１１ａと第２挟持体１２の先端部１２ａとは、無負荷状態では互いに近接又は接触して閉じている。
【００１１】
本体部１０には、後方の外周面１０ａに沿うように略四角柱状の複数（本実施形態では２個）の導光発光管１３（１３１，１３２）が上下に並んで配設される。導光発光管１３は、外周面１３ａの一部分が本体部１０の外周面１０ａから外方へ突出するように埋設されている。従って、本図では、略四角柱状の各導光発光管１３（１３１，１３２）の側面が２面ずつ露出している。各導光発光管１３の外方へ露出する面は、上下の縦断面視において外側へ凸湾曲状となるように形成される。導光発光管１３は、可撓性及び透光性を有し、本体部１０と共に湾曲変形させることができる。
【００１２】
導光発光管１３は、内部に入射させた光を、外部との境界である外周面１３ａにおいて略全反射させることにより長尺方向に沿って導光することができる。また、導光発光管１３の本体部１０から露出する外周面１３ａには微細な凹凸等により形成された拡散層が設けられる。したがって、導光発光管１３は、その端部から入射させた光を、長尺方向の反射側の端部に向かって導光しながら、外周面１３ａから外部に少しずつ拡散漏洩させることができる。なお、導光発光管１３の外周面１３ａのうち本体部１０内に埋没して隠れた部分には、反射面を設けて本体部１０の後方に効率良く光を出射させる構成としたり、蛍光体層を設けて本体部１０の後方に蛍光光を出射させる構成としてもよい。そのため、導光発光管１３は、本体部１０の湾曲部分に沿って略全体を面発光状に発光させることができる。
【００１３】
第１挟持体１１及び第２挟持体１２は、本体部１０の上下方向の幅よりも大径の略板状に形成される。第１挟持体１１及び第２挟持体１２は、各々本体部１０の両端部からの前方斜め上方へ膨出するように形成される（図２における第１挟持体１１の側面視も参照）。第１挟持体１１及び第２挟持体１２の厚みは本体部１０の湾曲部分よりも厚く形成される。第１挟持体１１及び第２挟持体１２の先端部１１ａ，１２ａは、内外方向の厚みが前方へ向かって徐々に薄くなるように形成される。第１挟持体１１の内側面１１ｂと、第２挟持体１２の内側面１２ｂとは、無負荷状態では上方内側を向くようにやや傾斜している。
【００１４】
図２の側面図に示すように第１挟持体１１及び第２挟持体１２の下端と、本体部１０の湾曲部分の下端とは、略平坦に連続している。第１挟持体１１及び第２挟持体１２と、本体部１０との接続部分の上端には、略平坦な傾斜部１１ｃ，１２ｃが形成される。発光具１は、第１挟持体１１における内部にボタン電池等の第１電源１１１と、第１電源１１１から電力を供給されるＬＥＤ等の第１光源１１２とを備える。第１光源１１２は、各導光発光管１３１，１３２の一端部１３１ａ，１３２ａ側にそれぞれ設けられており、この一端部１３１ａ，１３２ａ側から導光発光管１３１，１３２内に光を入射させることができる。
【００１５】
第１挟持体１１の上方の縁部には、上方斜め前方に延設される支持杆２１が接続される。支持杆２１の先端部にはＬＥＤ等の第２光源２２が設けられる。第２光源２２は、支持杆２１内に貫挿された図示しない電気配線によって第１電源１１１から電力供給を受ける。第１光源１１２及び第２光源２２への電力供給は、第１挟持体１１の外側面１１ｄ側に設けられたプッシュボタン式の第１スイッチ１１３により切り換え制御することができる。また、支持杆２１は、使用者により変形させて変形後の形状を記憶可能となるよう可撓性を有する。よって、発光具１が取り付けられる靴３０の大きさや形状に応じて、使用者は第２光源２２の向きや位置を任意に設定することができる。
【００１６】
また、図１（ｂ）に示すように、発光具１は、第２挟持体１２における内部に、ボタン電池等の第２電源１２１と、第２電源１２１から電力を供給されるＬＥＤ等の第３光源１２２とを備える。第３光源１２２は、各導光発光管１３１，１３２の他端部１３１ｂ，１３２ｂ側にそれぞれ設けられており、この他端部１３１ｂ，１３２ｂ側から導光発光管１３１，１３２内に光を入射させることができる。第３光源１２２への電力供給は、第２挟持体１２の外側面１２ｄ側に設けられたプッシュボタン式の第２スイッチ１２３により切り換え制御することができる。
【００１７】
第１挟持体１１には、第２挟持体１２と対向する内側面１１ｂ側に滑り止め部材１１４が設けられる。また、第２挟持体１２にも、第１挟持体１１と対向する内側面１２ｂ側に滑り止め部材１２４が設けられる。本実施形態の滑り止め部材１１４，１２４は、ゴム等の緩衝部材により平板状に形成される。
【００１８】
図３は、発光具１の使用状態を示す図である。使用者は第１挟持体１１及び第２挟持体１２を弾発力に抗して開き、第１挟持体１１及び第２挟持体１２により靴３０のかかと部３１に咥えさせることで、発光具１を靴３０に取り付けることができる。第１挟持体１１と第２挟持体１２の内側面１１ｂ，１２ｂは、靴３０のかかと部３１とつま先部３２との間の靴の側面と略平行に当接するように傾いている。そのため、発光具１は靴３０を挟持する際に滑り止め部材１１４，１２４が略面当接することで歩行時等において靴３０から脱落することが防止される。発光具１は、靴３０のかかと部３１を後方側から着脱させることができる。
【００１９】
また、第１挟持体１１から延設される第２光源２２は、靴３０の前方に光が出射されるように支持杆２１を調節することで靴３０の上部位置等に配置固定される。図３では、第１光源１１２、第２光源２２及び第３光源１２２が発光している状態を示している。発光具１は、第１光源１１２及び第３光源１２２の発光により導光発光管１３から後方側に光を出射させ、第２光源２２の発光により前方側に光を出射させることができる。よって、発光具１を靴３０に取り付けた使用者の存在や位置は、離れた位置や暗い環境下であっても容易に認識されるため、発光具１は視認性を向上させることができる。
【００２０】
また、発光具１は、第１電源１１１により本体部１０の一端側に配置される第１光源１１２及び第２光源２２に電力を供給する構成としたため、発光具１は構成及び操作を簡易にすることができる。
【００２１】
また、発光具１は、導光発光管１３の第１光源１１２が配置される一端側と反対の他端側に、導光発光管１３に光を入射させる第３光源１２２を備えるため、導光発光管１３の全体を明るく発光させることができる。
【００２２】
また、本実施形態で示したように、本体部１０の一端側に第１挟持体１１を形成し、本体部１０の他端側に第２挟持体１２を形成して、光源１１２，１２２、電源１１１，１２１及びスイッチ１１３，１２３を各々内部に収容することができる。従って本体部１０の可動する湾曲部分には電気配線を設けない構成することができる。そのため電気配線の断線等による故障を防止することができる。また、第１スイッチ１１３及び第２スイッチ１２３を本体部１０の一端側の外側面１１ｄ，１２ｄに設けたことにより、第１スイッチ１１３及び第２スイッチ１２３を指等で操作する際に靴３０により裏側が支えられてスイッチ操作を安定して行うことができる。
【００２３】
なお、発光具１は複数の点灯モードを備えてもよい。例えば、各光源１１２，２２，１２２の点灯モードは、消灯状態、常時点灯状態及び点滅状態の順に遷移させることができ、第１スイッチ１１３及び第２スイッチ１２３の押下のたびに、各スイッチに対応する光源１１２，２２，１２２の点灯モードを切り換えることができる。また光源１１２，２２，１２２が点滅状態のときに第１スイッチ１１３及び第２スイッチ１２３が押下されると、各スイッチに対応する光源１１２，２２，１２２を消灯状態に遷移させることができる。
【００２４】
以上、本発明の実施形態について説明したが、本発明は上記実施形態に限定されるものではなく、その要旨を逸脱しない限りにおいて、種々の変更が可能である。例えば、本実施形態では導光発光管１３が２本並設される例について示したが、導光発光管１３は、１本としたり３本以上を配置してもよい。
【００２５】
また、各光源１１２，２２，１２２は、点灯モードを切り替えることによって点灯する色が変化するように構成してもよいし、ある点灯モードにおいて光源１１２，２２，１２２の一部又は全部が異なる色で点灯するように構成してもよい。
【００２６】
また、第１電源１１１及び第２電源１２１は、１次電池又は２次電池とすることができる。第１電源１１１又は第２電源１２１は、２次電池で構成した場合に有線で充電することができる。また、発光具１は、緩衝部材による滑り止め部材１１４，１２４を設けずに、各挟持体１１，１２の内側面１１ｂ，１２ｂに複数の突起を設ける構成としてもよい。
【００２７】
また、第２光源２２は、導光発光管１３の光の出射方向と反対方向側に光を出射可能な位置に設けてもよく、例えば、第１挟持体１１の先端部１１ａ等に設けるなど支持杆２１を介さずに形成してもよい。また、第１挟持体１１及び第２挟持体１２は側面視における外形が円形、多角形、若しくは雫型等の板状又はブロック状に形成してもよい。
【符号の説明】
【００２８】
１        発光具                          １０      本体部
１０ａ    外周面                          １１      第１挟持体
１１ａ    先端部                          １１ｂ    内側面
１１ｃ    傾斜面                          １１ｄ    外側面
１２      第２挟持体                      １２ａ    先端部
１２ｂ    内側面                          １２ｃ    傾斜面
１２ｄ    外側面                          １３      導光発光管
１３ａ    外周面                          ２１      支持杆
２２      第２光源                        ３０      靴
３１      かかと部                        ３２      つま先部
１１１    第１電源                        １１２    第１光源
１１３    第１スイッチ                    １１４    滑り止め部材
１２１    第２電源                        １２２    第３光源
１２３    第２スイッチ                    １２４    滑り止め部材
１３１    導光発光管                      １３１ａ  一端部
１３１ｂ  他端部                          １３２    導光発光管
１３２ａ  一端部                          １３２ｂ  他端部
【図１】
2019187542.tif 000003
【図２】
2019187542.tif 000004
【図３】
2019187542.tif 000005